(57)【要約】【課題】液晶テレビなどのパネル型テレビジョンの非常に高温となるパネル近傍に配置される基板において、基板上の電子デバイスへの熱の影響を低減する。【解決手段】電子デバイス２０ａと同電子デバイスより下方に配置される発熱性デバイス２０ｂとが主基板２０に実装され、隔壁部材２３が電子デバイス２０ａの下方と側方とを遮るように配置され、同隔壁部材２３は液晶モジュール１３と主基板２０との間に同主基板に対して略垂直に配置される。これにより隔壁部材２３は電子デバイス２０ａと発熱性デバイス２０ｂとの間に配置されるとともに、同発熱性デバイスより発せられるに熱よって生ずる上昇気流に電子デバイス２０ａが曝されないようにする。【選択図】図６
2007174506.tif 000002
【特許請求の範囲】
【請求項１】
映像を画面に表示する平坦な表示面を前面に向けた液晶モジュールと、
音声を出力するスピーカと、
上記液晶モジュールの背面に形成された複数のボスに対して実装面を同液晶モジュールの背面に向けてネジ止めされるとともに、テレビ放送を受信して映像を上記液晶モジュールに表示させ、音声を上記スピーカにて出力させる主基板と、
上記液晶モジュールとスピーカと主基板とを収容する樹脂製のキャビネットと、
を備える液晶テレビジョンにおいて、
上記主基板に実装される電子デバイスと、
上記電子デバイスより下方に実装されて発熱する発熱デバイスと、
上記電子デバイスの周囲を取り囲むことが可能なコの字形の形状であって上記液晶モジュールと上記主基板との間隔の厚みを有し、コの字形とした開口を上方に向けつつ、上記電子デバイスの周囲を取り囲むようにして上記液晶モジュールと上記主基板との間にて挟持される隔壁部材と、 
を備え、
上記複数のボスは、上記主基板の隅に対応する位置に形成される複数の隅ボスと、上記隔壁部材と近接する位置に形成されて上記主基板を上記液晶モジュールに取り付ける際に、位置決めとしても使用される中ボスと、から成り、
上記隔壁部材は上記主基板との接触面に緩衝材が取り付けられる
ことを特徴とする液晶テレビジョン。
【請求項２】
映像を画面に表示する平坦な表示面を前面に向けたフラット表示パネルと、
音声を出力するスピーカと、
上記フラット表示パネルの背面に形成された複数のボスに対して実装面を同フラット表示パネルの背面に向けてネジ止めされるとともに、テレビ放送を受信して映像を上記フラット表示パネルに表示させ、音声を上記スピーカにて出力させる主基板と、
上記フラット表示パネルとスピーカと主基板とを収容する樹脂製のキャビネットと、
を備えるパネル型テレビジョンにおいて、
上記主基板に実装される電子デバイスと、
上記電子デバイスより下方に実装されて発熱する発熱デバイスと、
上記フラット表示パネルと上記主基板との間に同主基板に対して略垂直、かつ、上記電子デバイスの下方と側方とを遮るように配置される隔壁部材と、
を備えることを特徴とするパネル型テレビジョン。
【請求項３】
上記複数のボスは、
上記主基板の隅に対応する位置に形成される複数の隅ボスと、
上記隔壁部材と近接する位置に形成される中ボスと、
から成ることを特徴とする上記請求項２に記載のパネル型テレビジョン。
【請求項４】
上記中ボスは、上記主基板を上記フラット表示パネルに取り付ける際に、位置決めとして使用されることを特徴とする上記請求項２または３に記載のパネル型テレビジョン。
【請求項５】
上記隔壁部材は、
上記主基板との接触面に取り付けられる緩衝材を備えることを特徴とする上記請求項２〜４のいずれかに記載のパネル型テレビジョン。
【発明の詳細な説明】
【技術分野】
【０００１】
本発明は、表示パネル背面に基板が配置されるパネル型テレビジョンおよび液晶テレビジョンに関する。
【背景技術】
【０００２】
液晶テレビなどのパネル型テレビジョンにおいては、基板をモジュールの背面に配置する必要があり、また、基板は必ずモジュールと平行となるように垂直方向に配置されるため、モジュール及び基板上の部品により発熱された熱風は上昇し、基板の上方に位置する部品はこの熱風に煽られる。特に、基板とモジュールの間に実装されたデバイスはこの熱の影響を受ける。
【０００３】
特許文献１には、前面カバーの前面を取付面よりも前側に突出した状態で取り付け、且つ、その突出部の周壁に熱を放出するための複数の通気開口を設けて、同通気開口を介してパネルユニット本体の内部のプリント基板の実装部品から発生される熱を通気し放熱させる壁埋め込み型液晶パネルユニットの放熱構造について開示されています。
【特許文献１】特開２００３−０７５８５８号
【発明の開示】
【発明が解決しようとする課題】
【０００４】
上記特許文献１では、発熱性デバイスと温度上昇を避けたい電子デバイスとが同一基板上に配置される場合に、電子デバイスが発熱性のデバイスからの放熱の影響を受けないようにするためのものではない。
【０００５】
本発明では、液晶テレビなどのパネル型テレビジョンの非常に高温となるパネル近傍に配置される基板において、基板上の電子デバイスへの熱の影響を低減することを可能とする。
【課題を解決するための手段】
【０００６】
上記課題を解決するために、本発明では、映像を画面に表示する平坦な表示面を前面に向けた液晶モジュールと、音声を出力するスピーカと、上記液晶モジュール背面に形成された複数のボスに対して実装面を同液晶モジュール背面に向けてネジ止めされるとともに、テレビ放送を受信して映像を上記液晶モジュールに表示させ、音声を上記スピーカにて出力させる主基板と、上記液晶モジュールとスピーカと主基板とを収容する樹脂製のキャビネットと、を備えるパネル型テレビジョンにおいて、上記主基板に実装される電子デバイスと、上記電子デバイスより下方に実装されて発熱する発熱デバイスと、上記電子デバイスの周囲を取り囲むことが可能なコの字形の形状であって上記液晶モジュールと上記主基板との間隔の厚みを有し、コの字形とした開口を上方に向けつつ、上記電子デバイスの周囲を取り囲むようにして上記液晶モジュールと上記主基板との間にて挟持される隔壁部材と、を備え、上記複数のボスは、上記主基板の隅に対応する位置に形成される複数の隅ボスと、上記隔壁部材と近接する位置に形成されて上記主基板を上記液晶モジュールに取り付ける際に、位置決めとしても使用される中ボスと、から成り、上記隔壁部材は上記主基板との接触面に緩衝材が取り付けられる構成としてある。
【０００７】
また、上記目的を達成するために、請求項２に記載のパネル型テレビジョンでは、映像を画面に表示する平坦な表示面を前面に向けたフラット表示パネルと、音声を出力するスピーカと、上記フラット表示パネル背面に形成された複数のボスに対して実装面を同フラット表示パネル背面に向けてネジ止めされるとともに、テレビ放送を受信して映像を上記フラット表示パネルに表示させ、音声を上記スピーカにて出力させる主基板と、上記フラット表示パネルとスピーカと主基板とを収容する樹脂製のキャビネットと、を備えるパネル型テレビジョンにおいて、上記主基板に実装される電子デバイスと、上記電子デバイスより下方に実装されて発熱する発熱デバイスと、上記フラット表示パネルと上記主基板との間に同主基板に対して略垂直、かつ、上記電子デバイスの下方と側方とを遮るように配置される隔壁部材と、を備える構成としてある。
【０００８】
つまり、上記電子デバイスと上記電子デバイスより下方に配置される上記発熱性デバイスとは上記主基板に実装され、上記隔壁部材は上記電子デバイスの下方と側方とを遮るように配置され、同隔壁部材は上記フラット表示パネルと上記主基板との間に同主基板に対して略垂直に配置される。上記隔壁部材は上記電子デバイスと上記発熱性デバイスとの間に配置されるとともに、同発熱性デバイスより発せられるに熱よって生ずる上昇気流に上記電子デバイスが曝されないようにする。
【０００９】
そして、請求項３にかかる発明では、上記請求項２に記載のパネル型テレビジョンにおいて、上記複数のボスは、上記主基板の隅に対応する位置に形成される複数の隅ボスと、上記隔壁部材と近接する位置に形成される中ボスと、から成る構成としてある。
【００１０】
さらに、請求項４にかかる発明では、上記請求項２または３に記載のパネル型テレビジョンにおいて、上記中ボスは、上記主基板を上記フラット表示パネルに取り付ける際に、位置決めとして使用される構成としてある。
【００１１】
また、請求項５にかかる発明では、上記請求項２〜４のいずれかに記載のパネル型テレビジョンにおいて、上記隔壁部材は、上記主基板との接触面に取り付けられる緩衝材を備える構成としてある。
緩衝材としては、布等を使用することが考えられるが、それ以外にも緩衝効果のあるものであればいかなるものを使用しても構わない。
【発明の効果】
【００１２】
以上説明したように、本発明の請求項２にかかる発明によれば、モジュールと基板間に下方の発熱性デバイスから上昇する煽りを逃がす構造を作ることにより、下から来た熱風は電子デバイスに直接当たらず、温度上昇を低減することが可能となる。また、これにより基板上のデバイスの配置位置を気にすることなく、自由なレイアウト設計が可能となる。さらに、モジュール面と基板の距離も短くすることが出来るため、製品を更に薄くすることが可能となる。そして、特殊な部材などを使用しないため、本発明では部材の貼り付けを除けばコストも掛からず、安価な方法で発熱対策をすることが可能となる。
また請求項３にかかる発明によれば、主基板は隔壁部材近傍にてねじ止めされるため隔壁部材と上記主基板との密着性が上昇し、発熱性デバイスから発生する熱の電子デバイスへの影響を少なくすることが可能となる。
【００１３】
そして請求項４にかかる発明によれば、基板の液晶モジュールへの取り付けの際に位置決めとして利用でき、便利である。
さらに請求項５にかかる発明によれば、隔壁部材と上記主基板との密着性がさらに上昇し、発熱性デバイスから発生する熱の電子デバイスへの影響をさらに少なくすることが可能となる。
むろん請求項１のような、より具体的な構成において、上述した請求項２〜請求項５の各発明と同様の作用を奏することはいうまでもない。
【発明を実施するための最良の形態】
【００１４】
以下、下記の順序に従って本発明の実施形態を説明する。
（１）パネル型テレビジョンの構成：
（２）隔壁部材の構造とその取り付け構造：
（３）まとめ：
【００１５】
（１）パネル型テレビジョンの構成：
以下、本発明の一実施形態にかかる液晶テレビジョン１０について説明する。図１は液晶テレビジョン１０を斜め前方より見て示した斜視図、図２は同液晶テレビジョンを斜め後方より見て示した斜視図である。液晶テレビジョン１０は、樹脂製のフロントキャビネット１２およびバックキャビネット１６と、映像を画面に表示する平坦な表示面を前面に向けた液晶モジュール１３と、脚部１４とから構成されている。フロントキャビネット１２は前面に略矩形の開口を有し、表示面が前面側に露出するように液晶モジュール１３を保持している。
【００１６】
またフロントキャビネット１２内部には、音声を出力するためのスピーカが取り付けられている（不図示）。バックキャビネット１５は中央部が背面側に厚く形成されており、厚く形成された部分の内部には主基板が納められている。また、厚く形成された部分の上部には放熱などの目的で空気穴が設けられている。脚部１４は、液晶テレビジョン１０の内部に設置されてフロントキャビネット１２に取り付けられる板金を支持しており、それにより液晶モジュール１３の表示面が略鉛直に配向させられている。本実施例においてはフラット表示パネルとして液晶モジュールを採用したが、パネル型の表示パネルであればいかなる物でもよく、むろんプラズマディスプレイの表示パネルであっても構わない。
【００１７】
図３はバックキャビネット３０を取り外した液晶テレビジョン１０を斜め後方より見た斜視図である。液晶モジュール１３の背面にはネジ受けのボスが、主基板２０のネジ穴の位置と対応するように形成される。同図においては、四隅に隅ボス２１ａ〜２１ｄが形成され、略中央に中ボス２１ｅが形成されている。これら複数のボス２１ａ〜２１ｅは、それぞれ対応する位置に形成された主基板２０上のネジ穴に挿入されるネジがネジ止めされ、主基板２０を液晶モジュール１３の背面に保持する。
むろん液晶モジュール１３の背面には、主基板２０に搭載されない機能を具現した基板が配置されてもよく、同基板に主基板と同様の隔壁部材を設けても構わない。
【００１８】
図４は、本発明の実施形態にかかる液晶テレビジョン１０の概略構成をブロック図により示している。液晶テレビジョン１０は、概略、アンテナ２１５の接続されたチューナ回路２１０と、画像データ生成回路２２０と、パネル駆動回路２３０と、液晶モジュール１３と、電源回路２４０と、マイコン２５０と、インバータ回路２６０とからなる。
【００１９】
上記構成においてマイコン２５０は、液晶テレビジョン１０を構成する各部と電気的に接続しており、マイコン２５０内部の構成部品としてのＣＰＵが、同じくマイコン２５０内の構成部品であるＲＯＭやＲＡＭなどに書き込まれた各プログラムに従って、液晶テレビジョン１０全体を制御する。なお、ＣＰＵやＲＯＭやＲＡＭについては図示を省略している。
【００２０】
チューナ回路２１０は、マイコン２５０の制御によりアンテナ２１５よりテレビ放送を受信し、所定の信号増幅処理等を行いつつ、テレビジョン放送信号から中間周波信号としての映像信号を抽出し、画像データ生成回路２２０へ出力する。画像データ生成回路２２０は、入力した映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００２１】
パネル駆動回路２３０では、上記ＲＧＢ信号を入力するとともにＲＧＢ信号に対して液晶モジュール１３の画素数（横縦比、ｍ：ｎ）に合わせたスケーリング処理を行い、液晶モジュール１３に表示する１画面分の画像データを生成する。そして、このように生成された画像データを液晶モジュール１３に出力することにより、液晶モジュール１３に画像データに基づく画像表示をさせる。
【００２２】
液晶モジュール１３は、内部に液晶表示パネルとバックライトと制御回路とを有する。制御回路は画面表示の制御駆動処理を行う電子回路であり、パネル駆動回路より出力される画像データから色別にＲ用液晶パネル、Ｇ用液晶パネル、Ｂ用液晶パネルを駆動する電圧を生成する。バックライトは、インバータ回路２６０から高電圧が供給されて点灯し、生じた光が背面から正面方向へ各色の液晶パネルを透過するようになっている。これにより、液晶モジュール１３は、画面から画像データに対応する映像、すなわち、映像信号に対応する映像を表示する。
【００２３】
電源回路２４０は、外部の商用電源等から電源電圧（交流）の供給を受けるとともに、同供給された電源電圧を、マイコン２５０を始めインバータ回路２６０等、各回路へ供給する。電源回路２４０は、必要に応じて各回路へ供給する電圧を交流から直流へと変換する。
インバータ回路２６０は、電源回路２４０から供給された直流電圧を交流電圧に変換し、駆動信号としての当該交流電圧をバックライトに供給し、バックライトを点灯させる。
【００２４】
主基板２０にはこれらの回路のうちチューナ回路２１０と、画像データ生成回路２２０と、パネル駆動回路２３０と、電源回路２４０と、マイコン２５０と、インバータ回路２６０とが同際され、アンテナ２１５を通して受信したテレビ放送を信号処理し、映像を液晶モジュール１３に表示させるとともに、音声を上記スピーカに出力する。
【００２５】
（２）隔壁部材の構造とその取り付け構造：
図５は、液晶モジュール１３と主基板２０との間に配置される隔壁部材２３の取り付け構造を表す図である。液晶モジュール１３の背面には、主基板に形成される各ネジ穴２２ａ〜２２ｂと対応する４箇所に、隅ボス２１ａ〜２１ｄが液晶モジュール背面に対して垂直に立設されている。また液晶モジュール１３背面の略中央にはコ字状の隔壁部材２３が、上方を開辺として配置されている。同隔壁部材２３は、電子デバイス２０ａの周囲を取り囲むことが可能なコの字形の形状であり、コの字形とした開口を上方に向けつつ、電子デバイス２０ａの周囲を取り囲むように配置される。
【００２６】
また、隔壁部材２３は、液晶モジュール１３と主基板２０との間隔の厚みを有する樹脂製であり、液晶モジュール１３と主基板２０との間にて挟持される。本実施例においては、同隔壁部材２３は別部材として形成されたのち、液晶モジュール１３の背面に接着される構成としたが、むろん、隔壁部材２３を液晶モジュール１３と一体成型される構成としても構わない。隔壁部材２３の下方には、同隔壁部材２３に近接して中ボス２１ｅが液晶モジュール背面に対して垂直に立設されている。中ボスの設置される位置としては、図のように隔壁部材２３の下方以外にも、側方であっても上方であっても構わない。
【００２７】
一方、主基板２０には、隅ボス２１ａ〜２１ｄと対応する位置にそれぞれネジ穴２２ａ〜２２ｄが形成されている。これらネジ穴にはネジが挿入され、各隅ボスにネジ止めされることにより主基板２０を液晶モジュール１３背面に保持する。また、主基板２０の略中央には、電子デバイス２０ａが実装され、同電子デバイス２０ａの略下方には発熱性デバイス２０ｂが実装されている。
【００２８】
電子デバイス２０ａは熱上昇するのが好ましくないデバイスであり、ＩＣやチップセットなどが考えられる。また、発熱性デバイス２０ｂは液晶テレビジョン１０使用中に発熱しやすいデバイスであり、電源回路のレギュレータや電界効果トランジスタやトランスなどが考えられる。
【００２９】
また、電子デバイス２０ａは、液晶モジュール１３と主基板２０とに前後から挟まれる位置にあり、さらに、下方と左右側方から隔壁部材２３にて囲まれる。したがって、空気の通り道は上方だけであり、電子デバイス２０ａの下方に位置する発熱性デバイス２０ｂが発する熱により起こる熱性の上昇気流に直接さらされないようになっている。
【００３０】
図５では、電子デバイス２０ａは主基板２０の略中央に位置するとしてあるが、むろん主基板２０のどの位置にあってもよい。このとき、隔壁部材２３は電子デバイス２０ａの位置に応じて同電子デバイスを下方と左右側方から囲う位置に配置され、発熱性デバイス２０ｂと中ボス２１ｅとネジ穴２２ｅともそれぞれ移動するものとする。
【００３１】
図６に隔壁部材２３と電子デバイス２０ａと発熱性デバイス２０ｂとを通る断面図を示した。同図において、液晶モジュール１３と主基板２０とは上と下との左右に形成された隅ボス２１ａ〜２１ｄによって一定の距離をおいて平行に配置されている。また、電子デバイス２０ａおよび発熱性デバイス２０ｂは液晶モジュール１３の背面と面する側に実装されている。主基板２０は片面実装であっても、両面実装であってもよく、電子デバイス２０ａと発熱性デバイス２０ｂとが液晶モジュール１３の背面と面する側に実装されていればよい。
【００３２】
隔壁部材２３に近接した下方には中ボス２１ｅが液晶モジュール１３から主基板２０に向けて立設されており、主基板２０のネジ穴２２ｅを通してネジ止めされている。すなわち、主基板２０は、ネジ穴２２ｅを通して中ボス２１ｅにネジ止めされることにより、隔壁部材２３との密着性が高まり、下方の発熱性デバイス２０ｂの発熱により起こる熱風から電子デバイス２０ａをより確実に保護することが可能となる。
【００３３】
図７に、隔壁部材の変形例における、隔壁部材２３と電子デバイス２０ａと発熱性デバイス２０ｂとを通るような断面図を表す図を示した。同図において、隔壁部材２３には、主基板と接する面に緩衝材２４が貼り付けられており、主基板２０との間に隙間が出来ないように密着性を高めている。
【００３４】
すなわち、隔壁部材２３と緩衝材２４とをあわせた前後方向の長さは、液晶モジュール１３と主基板２０との間隔を決定している隅ボス２１ａ〜２１ｄの高さよりも僅かに長くされている。また、同時に、主基板２０は、ネジ穴２２ｅを通して中ボス２１ｅにネジ止めされるため、主基板２０と隔壁部材との間はより密着性が高まる。緩衝材２４としては、布等を使用することが考えられるが、それ以外にも緩衝効果のあるものであればいかなるものを使用しても構わない。
【００３５】
（３）まとめ：
つまり、電子デバイス２０ａと同電子デバイスより下方に配置される発熱性デバイス２０ｂとが主基板２０に実装され、隔壁部材２３が電子デバイス２０ａの下方と側方とを遮るように配置され、同隔壁部材２３は液晶モジュール１３と主基板２０との間に同主基板に対して略垂直に配置される。これにより隔壁部材２３は電子デバイス２０ａと発熱性デバイス２０ｂとの間に配置されるとともに、同発熱性デバイスより発せられるに熱よって生ずる上昇気流に電子デバイス２０ａが曝されないようにする。
【００３６】
以上説明したように、本実施例に対応する請求項２にかかるパネル型テレビジョンでは、映像を画面に表示する平坦な表示面を前面に向けたフラット表示パネルと、音声を出力するスピーカと、上記フラット表示パネル背面に形成された複数のボスに対して実装面を同フラット表示パネル背面に向けてネジ止めされるとともに、テレビ放送を受信して映像を上記フラット表示パネルに表示させ、音声を上記スピーカにて出力させる主基板と、上記フラット表示パネルとスピーカと主基板とを収容する樹脂製のキャビネットと、を備えるパネル型テレビジョンにおいて、上記主基板に実装される電子デバイスと、上記電子デバイスより下方に実装されて発熱する発熱デバイスと、上記フラット表示パネルと上記主基板との間に同主基板に対して略垂直、かつ、上記電子デバイスの下方と側方とを遮るように配置される隔壁部材と、を備える構成としてある。
【００３７】
つまり、上記電子デバイスと上記電子デバイスより下方に配置される上記発熱性デバイスとは上記主基板に実装され、上記隔壁部材は上記電子デバイスの下方と側方とを遮るように配置され、同隔壁部材は上記フラット表示パネルと上記主基板との間に同主基板に対して略垂直に配置される。上記隔壁部材は上記電子デバイスと上記発熱性デバイスとの間に配置されるとともに、同発熱性デバイスより発せられるに熱よって生ずる上昇気流に上記電子デバイスが曝されないようにする。
上記のように構成した請求項２に記載の発明においては、モジュールと基板間に下方の発熱性デバイスから上昇する煽りを逃がす構造を作ることにより、下から来た熱風は電子デバイスに直接当たらず、温度上昇を低減することが可能となる。また、これにより基板上のデバイスの配置位置を気にすることなく、自由なレイアウト設計が可能となる。さらに、モジュール面と基板の距離も短くすることが出来るため、製品を更に薄くすることが可能となる。そして、特殊な部材などを使用しないため、本発明では部材の貼り付けを除けばコストも掛からず、安価な方法で発熱対策をすることが可能となる。
【００３８】
そして、請求項３にかかる発明では、上記請求項２に記載のパネル型テレビジョンにおいて、上記複数のボスは、上記主基板の隅に対応する位置に形成される複数の隅ボスと、上記隔壁部材と近接する位置に形成される中ボスと、から成る構成としてある。
上記のように構成した請求項３に記載の発明においては、主基板は隔壁部材近傍にてねじ止めされるため隔壁部材と上記主基板との密着性が上昇し、発熱性デバイスから発生する熱の電子デバイスへの影響を少なくすることが可能となる。
【００３９】
さらに、請求項４にかかる発明では、上記請求項２または３に記載のパネル型テレビジョンにおいて、上記中ボスは、上記主基板を上記フラット表示パネルに取り付ける際に、位置決めとして使用される構成としてある。
上記のように構成した請求項４に記載の発明においては、基板の液晶モジュールへの取り付けの際に位置決めとして利用でき、便利である。
【００４０】
また、請求項５にかかる発明では、上記請求項２〜４のいずれかに記載のパネル型テレビジョンにおいて、上記隔壁部材は、上記主基板との接触面に取り付けられる緩衝材を備える構成としてある。緩衝材としては、布等を使用することが考えられるが、それ以外にも緩衝効果のあるものであればいかなるものを使用しても構わない。
上記のように構成した請求項５に記載の発明においては、隔壁部材と上記主基板との密着性がさらに上昇し、発熱性デバイスから発生する熱の電子デバイスへの影響をさらに少なくすることが可能となる。
【００４１】
以上の構成を踏まえた上で、請求項１の発明は、映像を画面に表示する平坦な表示面を前面に向けた液晶モジュールと、音声を出力するスピーカと、上記液晶モジュール背面に形成された複数のボスに対して実装面を同液晶モジュール背面に向けてネジ止めされるとともに、テレビ放送を受信して映像を上記液晶モジュールに表示させ、音声を上記スピーカにて出力させる主基板と、上記液晶モジュールとスピーカと主基板とを収容する樹脂製のキャビネットと、を備えるパネル型テレビジョンにおいて、上記主基板に実装される電子デバイスと、上記電子デバイスより下方に実装されて発熱する発熱デバイスと、上記電子デバイスの周囲を取り囲むことが可能なコの字形の形状であって上記液晶モジュールと上記主基板との間隔の厚みを有し、コの字形とした開口を上方に向けつつ、上記電子デバイスの周囲を取り囲むようにして上記液晶モジュールと上記主基板との間にて挟持される隔壁部材と、を備え、上記複数のボスは、上記主基板の隅に対応する位置に形成される複数の隅ボスと、上記隔壁部材と近接する位置に形成されて上記主基板を上記液晶モジュールに取り付ける際に、位置決めとしても使用される中ボスと、から成り、上記隔壁部材は上記主基板との接触面に緩衝材が取り付けられる構成としてある。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４３】
【図１】液晶テレビジョンを斜め前方より見て示した斜視図である。
【図２】液晶テレビジョンを斜め後方より見て示した斜視図である。
【図３】バックキャビネットを取り外した液晶テレビジョンを斜め後方より見た斜視図である。
【図４】本発明の実施形態にかかる液晶テレビジョンの概略構成を示すブロック図である。
【図５】隔壁部材の取り付け構造を表す図である。
【図６】隔壁部材と電子デバイスと発熱性デバイスとを通る断面図である。
【図７】隔壁部材の変形例をにおける、隔壁部材と電子デバイスと発熱性デバイスとを通る断面図である。
【符号の説明】
【００４４】
１０…液晶テレビジョン（パネル型テレビジョン）
１２…フロントキャビネット
１３…液晶モジュール（表示パネル）
１４…脚部
１５…コンセント
１６…バックキャビネット
２０…主基板
２０ａ…電子デバイス
２０ｂ…発熱性デバイス
２１ａ〜２１ｄ…隅ボス
２１ｅ…中ボス
２２ａ〜２２ｄ…隅ネジ穴
２２ｅ…中ネジ穴
２３…隔壁部材
２４…緩衝材
２１０…チューナ回路
２１５…アンテナ
２２０…画像データ生成回路
２３０…パネル駆動回路
２４０…電源回路
２５０…マイコン
２６０…インバータ回路
【図１】
2007174506.tif 000003
【図２】
2007174506.tif 000004
【図３】
2007174506.tif 000005
【図４】
2007174506.tif 000006
【図５】
2007174506.tif 000007
【図６】
2007174506.tif 000008
【図７】
2007174506.tif 000009